【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
負荷側と監視側との間に複数のコネクタをケーブルを介して接続することで構成される電気回路の前記コネクタの接続状態を監視するコネクタ接続監視装置において、
前記複数のコネクタが各々有する複数の極のうち何れか２つの極の間にそれぞれ接続された抵抗であって、前記負荷側と前記監視側との間に配設される複数の信号線の間に並列に接続された抵抗について、前記監視側から見た合成抵抗に関わる値を測定する測定手段と、
前記測定手段により測定された合成抵抗に関わる値に基づき、前記複数のコネクタの接続状態を判定する判定手段と、を備えることを特徴とするコネクタ接続監視装置。
【請求項２】
前記複数のコネクタがそれぞれ備える前記抵抗は、同じ抵抗値を有することを特徴とする請求項１記載のコネクタ接続監視装置。
【請求項３】
前記判定手段は、前記複数のコネクタのうち前記監視側から見て何番目のコネクタまでが正常に接続されているかを判定することを特徴とする請求項１記載のコネクタ接続監視装置。
【請求項４】
前記合成抵抗に関わる値は、前記複数のコネクタがそれぞれ備える前記抵抗の抵抗値を合成した合成抵抗値、合成抵抗にかかる電圧値の何れかを含むことを特徴とする請求項１又は２記載のコネクタ接続監視装置。
【請求項５】
負荷側と監視側との間に複数のコネクタをケーブルを介して接続することで構成される電気回路の前記コネクタの接続状態を監視するコネクタ接続監視装置において、
前記複数のコネクタが各々有する複数の極のうち何れか２つの極の間にそれぞれ接続された第１の抵抗の一端側を第２の抵抗を介して規定電圧にプルアップすると共に、前記第１の抵抗の他端側をグランドにプルダウンした構成における、前記第１の抵抗と前記第２の抵抗との接続点の電圧を検出する検出手段と、
前記検出手段により検出された電圧に基づき、前記複数のコネクタの接続状態を判定する判定手段と、を備えることを特徴とするコネクタ接続監視装置。
【請求項６】
負荷側と監視側との間に複数のコネクタをケーブルを介して接続することで構成される電気回路の前記コネクタの接続状態を監視するコネクタ接続監視装置において、
前記複数のコネクタが各々有する複数の極のうち何れか２つの極の間にそれぞれ接続された第１の抵抗の一端側を第２の抵抗を介して規定電圧にプルアップすると共に、前記第１の抵抗の他端側を第３の抵抗を介してグランドにプルダウンした構成における、前記第１の抵抗と前記第２の抵抗との接続点の電圧と、前記第１の抵抗と前記第３の抵抗との接続点の電圧を検出する検出手段と、
前記検出手段により検出された電圧に基づき、前記複数のコネクタの接続状態を判定する判定手段と、を備えることを特徴とするコネクタ接続監視装置。
【請求項７】
前記複数のコネクタがそれぞれ備える前記第１の抵抗は、前記負荷側と前記監視側との間に配設される複数の信号線の間に並列に接続されると共に、同じ抵抗値を有することを特徴とする請求項５又は６記載のコネクタ接続監視装置。
【請求項８】
前記判定手段は、前記複数のコネクタのうち前記監視側から見て何番目のコネクタまでが正常に接続されているか、信号線のグランドへのショート状態の有無、信号線を含む配線の断線の有無、のうち何れかを判定することを特徴とする請求項５、６、７の何れかに記載のコネクタ接続監視装置。
【請求項９】
前記判定手段の判定結果を出力する出力手段を備えることを特徴とする請求項１、３、５、６、８の何れかに記載のコネクタ接続監視装置。
【請求項１０】
負荷側と監視側との間に複数のコネクタをケーブルを介して接続することで構成される電気回路の前記コネクタの接続状態を監視するコネクタ接続監視装置によるコネクタ接続監視方法において、
前記複数のコネクタが各々有する複数の極のうち何れか２つの極の間にそれぞれ接続された抵抗であって、前記負荷側と前記監視側との間に配設される複数の信号線の間に並列に接続された抵抗について、前記監視側から見た合成抵抗に関わる値を、前記コネクタ接続監視装置が備える測定手段により測定する測定ステップと、
前記測定ステップにおいて前記測定手段により測定された合成抵抗に関わる値に基づき、前記コネクタ接続監視装置が備える判定手段により前記複数のコネクタの接続状態を判定する判定ステップと、を有することを特徴とするコネクタ接続監視方法。
【請求項１１】
負荷側と監視側との間に複数のコネクタをケーブルを介して接続することで構成される電気回路の前記コネクタの接続状態を監視するコネクタ接続監視装置によるコネクタ接続監視方法において、
前記複数のコネクタが各々有する複数の極のうち何れか２つの極の間にそれぞれ接続された第１の抵抗の一端側を第２の抵抗を介して規定電圧にプルアップすると共に、前記第１の抵抗の他端側をグランドにプルダウンした構成における、前記第１の抵抗と前記第２の抵抗との接続点の電圧を、前記コネクタ接続監視装置が備える検出手段により検出する検出ステップと、
前記検出ステップにおいて前記検出手段により検出された電圧に基づき、前記コネクタ接続監視装置が備える判定手段により前記複数のコネクタの接続状態を判定する判定ステップと、を有することを特徴とするコネクタ接続監視方法。
【請求項１２】
負荷側と監視側との間に複数のコネクタをケーブルを介して接続することで構成される電気回路の前記コネクタの接続状態を監視するコネクタ接続監視装置によるコネクタ接続監視方法において、
前記複数のコネクタが各々有する複数の極のうち何れか２つの極の間にそれぞれ接続された第１の抵抗の一端側を第２の抵抗を介して規定電圧にプルアップすると共に、前記第１の抵抗の他端側を第３の抵抗を介してグランドにプルダウンした構成における、前記第１の抵抗と前記第２の抵抗との接続点の電圧と、前記第１の抵抗と前記第３の抵抗との接続点の電圧を、前記コネクタ接続監視装置が備える検出手段により検出する検出ステップと、
前記検出ステップにおいて前記検出手段により検出された電圧に基づき、前記コネクタ接続監視装置が備える判定手段により前記複数のコネクタの接続状態を判定する判定ステップと、を有することを特徴とするコネクタ接続監視方法。
【手続補正２】
【補正対象書類名】明細書
【補正対象項目名】０００４
【補正方法】変更
【補正の内容】
【０００４】
上記の問題に対し、コネクタに対し抵抗に加えスイッチを組み込むと共に抵抗を直列接続する構成とすることで、コネクタの接続が異常な個所の特定を可能とした技術が提案されている（例えば、特許文献１参照）。
【特許文献１】特開平７−２２０８１８号公報
【手続補正３】
【補正対象書類名】明細書
【補正対象項目名】０００７
【補正方法】変更
【補正の内容】
【０００７】
上述の目的を達成するために、本発明は、負荷側と監視側との間に複数のコネクタをケーブルを介して接続することで構成される電気回路の前記コネクタの接続状態を監視するコネクタ接続監視装置において、前記複数のコネクタが各々有する複数の極のうち何れか２つの極の間にそれぞれ接続された抵抗であって、前記負荷側と前記監視側との間に配設される複数の信号線の間に並列に接続された抵抗について、前記監視側から見た合成抵抗に関わる値を測定する測定手段と、前記測定手段により測定された合成抵抗に関わる値に基づき、前記複数のコネクタの接続状態を判定する判定手段と、を備えることを特徴とする。
【手続補正４】
【補正対象書類名】明細書
【補正対象項目名】０００８
【補正方法】変更
【補正の内容】
【０００８】
また、本発明は、負荷側と監視側との間に複数のコネクタをケーブルを介して接続することで構成される電気回路の前記コネクタの接続状態を監視するコネクタ接続監視装置において、前記複数のコネクタが各々有する複数の極のうち何れか２つの極の間にそれぞれ接続された第１の抵抗の一端側を第２の抵抗を介して規定電圧にプルアップすると共に、前記第１の抵抗の他端側を第３の抵抗を介してグランドにプルダウンした構成における、前記第１の抵抗と前記第２の抵抗との接続点の電圧と、前記第１の抵抗と前記第３の抵抗との接続点の電圧を検出する検出手段と、前記検出手段により検出された電圧に基づき、前記複数のコネクタの接続状態を判定する判定手段と、を備えることを特徴とする。
【手続補正５】
【補正対象書類名】明細書
【補正対象項目名】０００９
【補正方法】変更
【補正の内容】
【０００９】
本発明によれば、合成抵抗に関わる値もしくは検出電圧に基づきコネクタ接続状態を判定する。これにより、従来技術のようにコネクタにスイッチを装備すること無く、コネクタの接続状態を確認することが可能となると共に、より小型で安価なコネクタを実現することが可能となる。
【手続補正６】
【補正対象書類名】明細書
【補正対象項目名】００６９
【補正方法】変更
【補正の内容】
【００６９】
上記第２の実施の形態では、各コネクタにそれぞれ接続された抵抗ｒと検出用抵抗Ｒ１の接続点の検出電圧と、抵抗ｒと検出用抵抗Ｒ２の接続点の検出電圧に基づきコネクタ接続状態及び信号線の線噛みを判定したが、これに限定されるものではない。検出用抵抗はＲ１のみ設け、各コネクタにそれぞれ接続された抵抗ｒと検出用抵抗Ｒ１の接続点の検出電圧に基づきコネクタ接続状態及び信号線の線噛みを判定してもよい。